(57)【要約】【課題】プレス加工による成型を可能としつつ、ベアリングに固定した時のガタツキを低減することが可能なボール保持器を提供する。【解決手段】ボール保持器１４の両側面には、薄板のステンレス材のばね鋼を内側に折り曲げて構成された折り曲げ部１４ａを形成し、ボール保持器１４の前後端には、薄板のステンレス材のばね鋼を傾斜させて構成された係止部１４ｂを形成し、ボール保持器１４の背面側には、プレス加工にて形成された突起部１４ｃを形成する。【選択図】      図１
2008002631.tif 000002
【特許請求の範囲】
【請求項１】
ベアリング内に転動体を転動体転動溝に保持する直動案内装置のボール保持器において、
金属板の側端部を内側に折り曲げて構成された折り曲げ部と、
前記金属板の前後端に設けられ、前記ベアリングのエンドキャップに設けられた凹部に嵌め合わせられる係止部と、
前記金属板の背面側にプレス加工にて形成された突起部とを備えることを特徴とする直動案内装置のボール保持器。
【発明の詳細な説明】
【技術分野】
【０００１】
本発明は直動案内装置のボール保持器に関し、特に、プレス加工された簡易型のボール保持器に適用して好適なものである。
【背景技術】
【０００２】
直動案内装置では、長尺のレールとベアリングが設けられ、レールとベアリングには転動体転動溝がレールの長手方向に平行に形成され、この転動体転動溝の中をボールが転がりながら進むように構成されている。そして、このボールがベアリング本体の一端まで行くと、エンドキャップの先端ですくい上げられ、このエンドキャップの中に設けられたリターンガイドを通ってベアリング本体の中に空けられた循環穴に導かれる。そして、ボールは循環穴を通ってベアリング本体の他端に出ると、今度は反対側のエンドキャップの中に設けられたリターンガイドを通ってレールとベアリング本体の相向かう転動体転動溝に戻され、ボールが無限循環を行うことができる。
【０００３】
ここで、標準仕様として設定されている長さ以外のベアリングでは、レールからベアリングを取り外した時に、ホールがベアリングから脱落しないようにするために、図５に示すように、薄板のステンレス材のばね鋼をプレス加工して製作された簡易型のボール保持器１１４が用いられることがある（特許文献１）。
このボール保持器１１４では、ボールをベアリング側に押し付けてボールを転動体転動溝に保持するための折り曲げ部１１４ａと、エンドギャップ側の隙間に嵌め合わせてボール保持器１１４を固定するための薄板の係止部１１４ｂが設けられている。
【特許文献１】特開平８−２８４９５４号公報
【発明の開示】
【発明が解決しようとする課題】
【０００４】
しかしながら、プレス加工して製作された簡易型のボール保持器１１４では、ボール保持器１１４の両端に設けられた薄板の係止部１１４ｂをエンドギャップ側の隙間に嵌め合わせて固定されるため、ボール保持器１１４にガタツキが発生し、ボールがベアリングからこぼれ落ちるという問題があった。
そこで、本発明の目的は、プレス加工による成型を可能としつつ、ベアリングに固定した時のガタツキを低減することが可能な直動案内装置のボール保持器を提供することである。
【課題を解決するための手段】
【０００５】
上述した課題を解決するために、請求項１記載の直動案内装置のボール保持器によれば、ベアリング内に転動体を転動体転動溝に保持する直動案内装置のボール保持器において、金属板の側端部を内側に折り曲げて構成された折り曲げ部と、前記金属板の前後端に設けられ、前記ベアリングのエンドキャップに設けられた凹部に嵌め合わせられる係止部と、前記金属板の背面側にプレス加工にて形成された突起部とを備えることを特徴とする。
【発明の効果】
【０００６】
以上説明したように、本発明によれば、金属板の背面側をベアリングにて抑えながら、エンドギャップ側の隙間に係止部を嵌め合わせてボール保持器を固定することができる。このため、ボール保持器が薄い金属板で構成されている場合においても、ボール保持器のガタツキを抑制することが可能となるとともに、プレス加工にて突起部を形成することができ、ボール保持器を安価に製作することが可能となる。
【発明を実施するための最良の形態】
【０００７】
以下、本発明の実施形態に係る直動案内装置について図面を参照しながら説明する。
図１は、本発明の一実施形態に係る直動案内装置の概略構成を示す斜視図、図２は、図１の直動案内装置の概略構成を示す断面図である。
図１において、直動案内装置には、長尺のレール１１と、断面がコ字状のベアリング１２が設けられ、ベアリング１２は、レール１１の上面に跨るようにしてレール１１上をスライド可能に嵌め合わされている。ここで、レール１１の両側面およびベアリング１２の内側面には、互いに対向配置された転動体転動溝１５が形成され、これらの転動体転動溝１５にて構成される転動体走行通路には転動自在に走行可能なボール１６が配置されている。
【０００８】
また、ベアリング１２内には、転動体転動溝１５に並行配置された循環穴が設けられるとともに、ベアリング１２の両端面には、エンドキャップ１３が設けられている。そして、エンドキャップ１３には、転動体転動溝１５からなる転動体走行通路と循環穴とを連通させ、ボール１６の無限循環路を構成するリターンガイドが形成されている。
また、ベアリング１２内には、レール１１の上面に対向配置されるようにしてボール保持器１４が装着されている。ここで、ボール保持器１４は、薄板のステンレス材のばね鋼をプレス加工して製作することができる。
【０００９】
図３は、本発明の第１実施形態に係るボール保持器の概略構成を示す平面図および側面図である。
図３において、ボール保持器１４の両側面には、薄板のステンレス材のばね鋼を内側に折り曲げて構成された折り曲げ部１４ａが形成され、ボール保持器１４の前後端には、薄板のステンレス材のばね鋼を傾斜させて構成された係止部１４ｂが形成され、ボール保持器１４の背面側には、プレス加工にて形成された突起部１４ｃが形成されている。なお、突起部１４ｃは、図３に示すように、下駄状としてもよいし、図４に示すように、矩形状の突起部１４ｄを設けるようにしてもよい。
【００１０】
そして、レール１１の上面に対向配置されるようにしてボール保持器１４をベアリング１２内に装着し、折り曲げ部１４ａを最上段のボール１６に当接させることにより、最上段のボール１６をベアリング１２側の転動体転動溝１５に押し付けて、ベアリング１２内にボール１６を保持することができる。また、ボール保持器１４をベアリング１２内に固定する場合、突起部１４ｃをベアリング１２の内上面に当接させながら、エンドギャップ１３側の隙間１３ａに係止部１４ｂを嵌め合わせることができる。
【００１１】
これにより、ボール保持器１４の背面側をベアリング１２の内上面にて抑えながら、エンドギャップ１３側の隙間１３ａに係止部１４ｂを嵌め合わせてボール保持器１４を固定することができる。このため、ボール保持器１４が薄板のステンレス材で構成されている場合においても、ボール保持器１４のガタツキを抑制することが可能となるとともに、プレス加工にて突起部１４ｃを形成することができ、ボール保持器１４を安価に製作することが可能となる。
【図面の簡単な説明】
【００１２】
【図１】本発明の一実施形態に係る直動案内装置の概略構成を示す斜視図である。
【図２】図１の直動案内装置の概略構成を示す断面図である。
【図３】本発明の第１実施形態に係るボール保持器の概略構成を示す平面図および側面図である。
【図４】本発明の第２実施形態に係るボール保持器の概略構成を示す平面図および側面図である。
【図５】従来のボール保持器の概略構成を示す平面図および側面図である。
【符号の説明】
【００１３】
１１  レール
１２  ベアリング
１３  エンドキャップ
１３ａ  隙間
１４  ボール保持器
１４ａ  折り曲げ部
１４ｂ  係止部
１４ｃ、１４ｄ  突起部
１５  転動体転動溝
１６  ボール
【図１】
2008002631.tif 000003
【図２】
2008002631.tif 000004
【図３】
2008002631.tif 000005
【図４】
2008002631.tif 000006
【図５】
2008002631.tif 000007